(57)【特許請求の範囲】
【請求項１】
遊技盤の遊技領域に設けられたセンター役物よりも右側に遊技球を流下させることが可能であり、前記センター役物の下方であって前記遊技領域の左右方向中央よりも右側に入賞装置が設けられた遊技機であって、
前記入賞装置は、
前記遊技球が入賞可能な入賞口と、
前記入賞口の左右方向中央よりも左奥側に形成された排出口と、
前記入賞口から排出口に向けて順次幅が狭くなるとともに下り傾斜するように形成され、前記入賞口に入賞した遊技球を排出するための排出経路と、を有し、
前記排出経路には、該排出経路の高さ方向の位置が前記入賞口の底面よりも下側に位置する場所に、前記排出経路の底面から前記入賞口の底面に向けてリブが形成されていることを特徴とする遊技機。
【発明の詳細な説明】
【技術分野】
【０００１】
本発明は、遊技盤に形成された遊技領域にセンター役物や入賞装置が設けられた遊技機に関する。
【背景技術】
【０００２】
従来から、パチンコ機をはじめとする遊技機が知られている。遊技機は、遊技盤に形成された遊技領域に液晶表示装置等の図柄表示装置を有するセンター役物、始動入賞口を有する始動入賞装置、大入賞口を有する大入賞装置等が配置されている。また、遊技領域には、流下する遊技球を誘導するための多数の誘導釘が打ちつけられている。
【０００３】
一般に、遊技機は、遊技領域に遊技球を流下させることで遊技が行われる。遊技領域を流下する遊技球が始動入賞口に入賞すると、遊技機では、遊技者にとって有利な大当り状態での遊技を開始するか否かの大当り抽選が行われる。また、遊技機では、この大当り抽選と同時に図柄表示装置でアニメーションの表示又は図柄の変動表示を所定時間行う。その後、遊技機は、大当り抽選に当選した場合には当たりに対応した所定の図柄（例えば「７−７−７」）を停止表示させて、大当り状態での遊技を開始する旨を遊技者に報知する。そして、大入賞口を開放して流下する遊技球を入賞しやすい状態にし、大入賞口に入賞した遊技球の数に対応した数の賞球を払い出す。
【０００４】
近年は、遊技領域においてセンター役物よりも右側の領域に遊技球を流下させる「右打ち」と呼ばれる方法で遊技を行う遊技機も存在する。右打ちの遊技を行う遊技機の場合には、例えば大入賞口を遊技領域の左右方向中央よりも右側に配置したものも存在する。例えば、特許文献１には、遊技領域を左打ち用の遊技領域と右打ち用の遊技領域とに分け、左打ち用の遊技領域及び右打ち用の遊技領域のそれぞれに対して、誘導釘や各種入賞装置が設けられている遊技機が開示されている。
【先行技術文献】
【特許文献】
【０００５】
【特許文献１】特開２００７−２５２６２９号公報
【発明の概要】
【発明が解決しようとする課題】
【０００６】
遊技機においては、大当り状態で遊技を行っている時は、短時間の間に大量の遊技球が大入賞口に入賞する。そのため、遊技球が大入賞口に入賞する直前、又は大入賞口から排出口へ至る経路を遊技球が通過する間に遊技球同士がぶつかり合い、遊技球がスムーズに排出されずに球詰まりが発生するという問題があった。また、近年は、遊技機の演出の多様化が進んでおり、図柄表示装置やセンター役物が大型化する傾向が強い。そのため、遊技領域におけるセンター役物の占める割合のみならず、図柄表示装置が遊技機の後面側のスペースを占める割合も増加する傾向にある。そのため、他の入賞装置等のスペースを減らし、スペース効率を向上させることが望まれている。
【０００７】
本発明は、上記した問題点を解決するためになされたもので、入賞装置における遊技球の排出をスムーズに行うことができ、かつスペース効率を向上させることが可能な遊技機を提供することを目的とする。
【課題を解決するための手段】
【０００８】
本発明は、
（１）遊技盤の遊技領域に設けられたセンター役物よりも右側に遊技球を流下させることが可能であり、前記センター役物の下方であって前記遊技領域の左右方向中央よりも右側に入賞装置が設けられた遊技機であって、前記入賞装置は、前記遊技球が入賞可能な入賞口と、前記入賞口の左右方向中央よりも左奥側に形成された排出口と、前記入賞口から排出口に向けて順次幅が狭くなるとともに下り傾斜するように形成され、前記入賞口に入賞した遊技球を排出するための排出経路と、を有し、前記排出経路には、該排出経路の高さ方向の位置が前記入賞口の底面よりも下側に位置する場所に、前記排出経路の底面から前記入賞口の底面に向けてリブが形成されていることを特徴とする遊技機；
を要旨とする。
【発明の効果】
【０００９】
本発明によれば、遊技球が入賞可能な入賞口と、前記入賞口の左右方向中央よりも左奥側に形成された排出口と、前記入賞口から排出口に向けて順次幅が狭くなるように形成され、前記入賞口に入賞した遊技球を排出するための排出経路とを入賞装置が有しているので、入賞口に入賞した遊技球が排出口までの排出経路をスムーズに通過させることが可能になる。したがって、本発明によれば、排出経路中における球詰まりの発生を防止し、該排出経路中における遊技球の流れ状態を良好に維持することが可能になる。
【図面の簡単な説明】
【００１０】
【図１】本発明の実施の形態に係る遊技機の正面図である。
【図２】遊技盤の表面側の構成を表した正面図である。
【図３】第２大入賞装置の外観構成を表した外観斜視図であり、（ａ）図は開閉部材が閉位置に位置している状態を表した図、（ｂ）図は開閉部材が開位置に位置している状態を表した図である。
【図４】第２大入賞装置の分解斜視図である。
【図５】下ケース部材の外観構成を表した外観斜視図であり、（ａ）図は表側から表した図、（ｂ）図は裏側から表した図である。
【図６】従動部材の外観構成を表した外観斜視図であり、（ａ）図は表側から表した図、（ｂ）図は裏側から表した図である。
【図７】開閉部材の外観構成を表した外観斜視図であり、（ａ）図は表側から表した図、（ｂ）図は裏側から表した図である。
【図８】第２大入賞装置の平面図であり、（ａ）図は開閉部材が閉位置に位置している状態を表した図、（ｂ）図は開閉部材が開位置に位置している状態を表した図である。
【図９】遊技領域において遊技球が第２大入賞装置に向けて流下する際の流下方向を説明するための説明図である。
【図１０】第２大入賞装置における開閉部材の開閉動作を説明するための説明図であり、（ａ）図は開閉部材が閉位置に位置している状態を表した図、（ｂ）図は開閉部材が開位置に位置している状態を表した図である。
【発明を実施するための形態】
【００１１】
本発明に係る遊技機の実施の形態について、図面を用いて具体的に説明する。なお、本実施の形態では、本発明に係る遊技機の一例としてパチンコ機を用いて説明するが、本発明はパチンコ機以外の遊技機にも適用することが可能である。また、本明細書においては、パチンコ機及びパチンコ機を構成する各部材の「前側」、「後側」は、パチンコ機を正面から見た場合における表面側（前面側）、背面側（後面側）を示すものとする。また、本明細書においては、パチンコ機及びパチンコ機を構成する各部材に関して「上側」、「下側」、「左側」及び「右側」は、図１に示すようにパチンコ機を正面から見た場合における上側、下側、左側及び右側を示すものとする。
【００１２】
本明細書においては、遊技球が各種入賞口に流入することを「入賞」と言う。また、本明細書においては、遊技球が各種入賞口に入賞することによって遊技者に払い出される遊技球を「賞球」と言う。
【００１３】
本実施の形態に係る遊技機１の外観構成を図１に基づいて説明する。遊技機１は、機体の外郭を構成する縦長方形の外枠２を備えている。この外枠２の開口前面側には、縦長方形の中枠３が着脱自在に組み付けられている。中枠３は、全体的に合成樹脂材料を用いて成形されており、内部に遊技盤１２等を取り付けることができるように構成されている。前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１２を視認することができ、かつ遊技盤１２を保護することができるように構成されている。また、前枠４は、遊技に使用する遊技球を一時的に貯留する上受け皿６と、上受け皿６から溢れ出て流下した遊技球を貯留する下受け皿７とをガラス板５の下方に備えている。
【００１４】
また、遊技機１は、遊技盤１２に向けて遊技球を弾発するための発射装置を内部に備えており、発射装置の弾発強さを操作ハンドル８の回動量によって調節することができるように構成されている。また、遊技機１の上受け皿６には、遊技球を貯留する貯留スペースの前側に、遊技者が遊技中に押圧操作する各種ボタン９ａ，９ｂ，９ｃが配置されている。なお、図１中の符号１０，１１は、音声を出力するためのスピーカである。
【００１５】
遊技盤１２は、アクリルやポリカーボネート等の合成樹脂材料で成形された略正方形状の平板状の部材である。この遊技盤１２の後側には、裏ユニット（図示せず）がビス等によって取付固定されている。図２に示すように、遊技盤１２には、センター役物１７を取り付けるための開口１３が略中央部に形成されている。また、遊技盤１２の表面には、外レール１４と内レール１５とが半円弧状に配設されている。これら外レール１４及び内レール１５は、前後方向に所定の厚さを有する部材で形成されている。外レール１４は、遊技盤１２の中央よりも左側の下部から遊技盤１２の上部を経て該遊技盤１２の中央よりも右側の上部まで円弧を描くように形成されている。また、内レール１５は、遊技盤１２の盤面上においては外レール１４と対向するように配置されている。これら外レール１４及び内レール１５は、発射装置で弾発された遊技球が通過可能な間隔を有するように配置されている。
【００１６】
遊技領域１６は、外レール１４と内レール１５との間を通過した遊技球が流下するように形成された領域であり、遊技盤１２において外レール１４の内側（外レール１４と内レール１５とが対向配置されている箇所においては、内レール１５の内側）に形成されている。遊技球は、これら外レール１４と内レール１５との間を通過した後に、遊技領域１６の上部から下部に向けて流下するように構成されている。
【００１７】
遊技領域１６には、センター役物１７のほかに、普通入賞装置１８、始動入賞装置１９、大入賞装置２０等の各種入賞装置が設けられている。また、遊技領域１６には、多数の誘導釘２３が打たれている。遊技領域１６を流下する遊技球は、誘導釘２３に当たって流下方向を変化させながら遊技領域１６の上部から下部に向かって流下する。流下する一部の遊技球は、各種入賞装置に設けられている各種入賞口（図示せず）に入賞するものの、各種入賞口に入賞しなかったほとんどの遊技球は、遊技領域１６の最下部に設けられたアウト口２４に流入する。本実施の形態に係る遊技機１は、発射装置で弾発される際の弾発強さにより、遊技領域１６においてセンター役物１７の左側及び右側のいずれも遊技球が流下することができるように構成されている。
【００１８】
センター役物１７は、装飾枠２５、液晶表示装置２６等を備えている。装飾枠２５は、各種の装飾が施されている枠状の部材であり、遊技盤１２の開口１３に該遊技盤１２の前側から挿入して、遊技盤１２に取付固定されている。液晶表示装置２６は、数字等から構成される種々の図柄やアニメーションを表示したり、遊技の状態に応じた種々の演出表示を行うためのもので、裏ユニット（図示せず）に取付固定されている。
【００１９】
普通入賞装置１８は、遊技領域１６に複数個（本実施の形態では３個）設けられている。これら普通入賞装置１８は、図示しない普通入賞口を有しており、遊技球が普通入賞口に入賞すると、所定数（たとえば１０個）の賞球を払い出すように構成されている。
【００２０】
始動入賞装置１９は、センター役物１７の下方に配置されている。始動入賞装置１９は、図示しない始動入賞口を有しており、遊技球が始動入賞口に入賞すると、遊技者に有利な大当り状態で遊技を行うか否かを抽選する大当り抽選が行われるように構成されている。
【００２１】
大入賞装置２０は、始動入賞装置１９の下方に設けられた第１大入賞装置２１と、始動入賞装置１９の右方、すなわち遊技領域１６においてセンター役物１７の下方であって遊技領域１６の左右方向中央よりも右側に設けられた第２大入賞装置２２とから構成されている。第１大入賞装置２１及び第２大入賞装置２２は、通常は遊技球が入賞することはなく、所定の大当り条件に当選した時に、所定個数（例えば１０個）の遊技球が入賞するか、又は所定時間（例えば３０秒）が経過するまでの間、遊技球が入賞するように構成されている。
【００２２】
第２大入賞装置２２は、遊技領域１６において、センター役物１７よりも右側の領域に遊技球を流下させて遊技を行う、いわゆる右打ちの遊技を行う時に使用されるものである。この第２大入賞装置２２は、センター役物１７よりも下方であって遊技領域１６の左右方向中央よりも右側に取付固定されている。第２大入賞装置２２を取り付ける方法としては、従来から公知の方法を任意に選択して用いてよく、例えば本実施の形態では遊技盤１２に対してネジ止め等によって取付固定されている。図３に示すように、第２大入賞装置２２は、前側に装飾部材３１が取り付けられており、この装飾部材３１に開口する開口部３２（図４参照）が形成されている箇所に、開閉部材３３が配置されている。開閉部材３３は、大入賞口３４を開閉するためのもので、通常は図３（ａ）に示すように大入賞口３４を閉じて遊技球を入賞させないようにする閉位置に位置している。そして、遊技機１が大当たり状態となって大入賞口３４を開放する場合には、図３（ｂ）に示すように、大入賞口３４を開いて遊技球を入賞しやすくする開位置に移動するように構成されている。
【００２３】
図４に示すように、第２大入賞装置２２は、上記した装飾部材３１、開閉部材３３の他に、上ケース部材３５と下ケース部材３６とからなるケース部材、ソレノイド３８、プランジャ３９、コイルバネ４０及び従動部材４１を有する駆動手段としての駆動機構、並びに回動ピン４３ａ，４３ｂを備えている。図４に示すように、ソレノイド３８には、該ソレノイド３８に形成された貫通孔（図示せず）にプランジャ３９が挿入されており、プランジャ３９には、該プランジャ３９の先端に形成されたフランジ３９ａとソレノイド３８との間にコイルバネ４０が配置されている。そして、このようにプランジャ３９とコイルバネ４０が配置されたソレノイド３８と従動部材４１は、上ケース部材３５及び下ケース部材３６の所定位置に配設されるように構成されている。また、開閉部材３３は、回動ピン４３ａが開閉部材３３に形成された挿入孔３３ａに挿入され、回動ピン４３ｂが開閉部材３３に形成された挿入孔３３ｂに挿入されることで、この回動ピン４３ａ，４３ｂを回動軸として開閉自在に回動するように、下ケース部材３６に取り付けられている。
【００２４】
次に、ケース部材の構成について説明する。なお、ケース部材は上ケース部材３５と下ケース部材３６とから構成されているが、これら上ケース部材３５と下ケース部材３６の概略構成は略同一であるので、ここでは下ケース部材３６の構成についてのみ説明し、上ケース部材３５の構成についての説明は省略する。
【００２５】
図５に示すように、下ケース部材３６は、前側に開口が形成されている。この開口は、下ケース部材３６が上ケース部材３５と一体化した時に、該上ケース部材３５の前側に形成されている開口と共に大入賞口３４を形成するように形成されたものである。開口は、左右方向が長手方向となる横長方形状となり、遊技球が入賞可能となるように形成されている。なお、以下においては、下ケース部材３６に形成されている開口のことを大入賞口３４と言うこともある。
【００２６】
また、下ケース部材３６は、大入賞口３４の奥側であって、該大入賞口３４の左右方向中央よりも左側に排出口５１が形成されている。排出口５１は、下ケース部材３６の底面に開口形成されており、下ケース部材３６の下方に設けられている排出路（図示せず）へ遊技球を排出することができるように形成されている。
【００２７】
また、下ケース部材３６には、大入賞口３４から排出口５１に向けて排出経路５２が形成されている。排出経路５２は、該排出経路５２の左側に立設された第１壁部５３と、該排出経路５２の右側に立設された第２壁部５４との間に形成されており、大入賞口３４に入賞した遊技球のうち、大入賞口３４の左側から入賞した遊技球を第１壁部５３が排出口５１に向けて排出経路５２を案内し、大入賞口３４の右側から入賞した遊技球を第２壁部５４が排出口５１に向けて排出経路５２を案内するように構成されている。また、排出経路５２は、第２壁部５４が形成されている側から第１壁部５３が形成されている側に向けて下り傾斜するように形成されている。また、排出経路５２は、該排出経路５２の高さ方向の位置が大入賞口３４の底面よりも下側に位置する場所には、排出経路５２の底面から大入賞口３４の底面に向けてリブ５２ａが形成されている。
【００２８】
図５に示すように、第２壁部５４は、大入賞口３４の右側から排出口５１の右側に向けて立設するように形成されている。ここで、大入賞口３４の左右方向の大きさと排出口５１の左右方向の大きさは、大入賞口３４の方が排出口５１よりも大きくなるように形成されており、排出経路５２は、大入賞口３４から排出口５１に向けて順次幅が狭くなるように形成されている。なお、本実施の形態では、前後方向に対する第２壁部５４の傾斜角が複数個所において異なるように形成されているが、第２壁部５４は大入賞口３４から排出口５１に向けて直線状に形成してもよいし、これ以外の形状に形成してもよい。
【００２９】
下ケース部材３６には、第２壁部５４の右側、すなわち大入賞口３４の奥側であって排出経路５２の右側に隣接する位置に、駆動機構が配設される配設スペース５５が形成されている。配設スペース５５には、ソレノイド３８を収納するソレノイド配設部５６と、従動部材４１を収納する従動部材配設部５７が形成されている。ソレノイド配設部５６は、ソレノイド３８を横置きに配置することができるように形成されている。ここで、「ソレノイド３８を横置きに配置する」とは、プランジャ３９が左右方向に移動するようにソレノイド３８が配置されていることを言う。
【００３０】
また、下ケース部材３６には、開閉部材３３を開閉自在に取り付ける開閉部材取付部５８が形成されている。この開閉部材取付部５８は、回動ピン４３ａ，４３ｂを配設することが可能な回動ピン配設部５９が大入賞口３４の左右両側に形成されており、開閉部材３３の挿入孔３３ａ，３３ｂに一端部が挿入された回動ピン４３ａ，４３ｂの他端部を回動ピン配設部５９に配設することができるように形成されている。本実施の形態では、回動ピン配設部５９は、下ケース部材３６の前面から前側に突出させ、その突出した箇所の前側先端から上方に向けて突出させることにより、この前方及び上方に向けて突出させることにより形成された空間に回動ピン４３ａ，４３ｂの他端部を配設できるように構成されている。そして、上ケース部材３５を下ケース部材３６に取り付けることにより、該空間の上部が上ケース部材３５によって閉塞され、回動ピン４３ａ，４３ｂの他端部が外れないようになる。なお、本実施の形態で説明した配設部は一例であり、回動ピン４３ａ，４３ｂを配設することができれば、他の構成であってもよい。
【００３１】
次に、従動部材４１の構成を図６に基づいて説明する。従動部材４１は、ソレノイド３８等とともに駆動機構を構成するものであり、ソレノイド３８の駆動により移動するプランジャ３９の動きを開閉部材３３に伝達するためのものである。この従動部材４１は、前後に形成された前壁部６１と、後壁部６２と、これら前壁部６１及び後壁部６２を一つに連結する連結部６３と、係合部６４とを備えている。
【００３２】
前壁部６１は、従動部材４１が従動部材配設部５７に配置されたときに、前側に位置する壁状に形成された部分であり、上辺と下辺とが平行に形成された略台形状に形成されている。この前壁部６１の左側には、前方向に向けて突出する第１突出部６５が形成されている。この第１突出部６５は、円柱状となるように突出形成されており、第１突出部６５が後壁部６２に形成された後述する第２突出部６８とともに、従動部材４１が回動する際の回動軸となるように形成されている。すなわち、第１突出部６５と第２突出部６８とは、ともに同一の回動軸上に位置するように形成されている。
【００３３】
また、前壁部６１の右側には、第１作動ピン６６及び第２作動ピン６７が形成されている。第１作動ピン６６は、開閉部材３３を開位置から閉位置へ移動させる際、プランジャ３９から伝えられた動きを伝達するためのものである。この第１作動ピン６６は、従動部材４１の右側において、前方向に向けて突出するように形成されている。第２作動ピン６７は、開閉部材３３を閉位置から開位置へ移動させる際、プランジャ３９から伝えられた動きを伝達するためのものである。この第２作動ピン６７は、第１作動ピン６６よりも下方であって、第１作動ピン６６よりも左側に位置するように形成されている。また、第２作動ピン６７は、前壁部６１よりも前方向に向けて突出形成されている。なお、本実施の形態では、第１作動ピン６６の前後方向における先端の位置と第２作動ピン６７の前後方向における先端の位置とがほぼ一致するように形成されているが、第１作動ピン６６及び第２作動ピン６７は開閉部材３３を閉位置と開位置との間で開閉させることができれば、この形状は特に限定されるものではない。
【００３４】
後壁部６２は、従動部材４１が従動部材配設部５７に配置されたときに、前壁部６１よりも後側に位置する壁状に形成された部分であり、前壁部６１と略同一の台形状となるように形成されている。この後壁部６２の左側には、第２突出部６８が形成されている。第２突出部６８は、円柱状となるように後方向に向けて突出形成されており、第１突出部６５とともに、従動部材４１が回動する際の回動軸となるように形成されている。
【００３５】
連結部６３は、前壁部６１と後壁部６２とを一つに連結するためのもので、本実施の形態では、一端が前壁部６１の裏面と、他端部が後壁部６２の表面と一体成型されている。本実施の形態では、連結部６３は従動部材４１の左下部、右下部に形成されている。なお、連結部６３は、前壁部６１と後壁部６２とを連結することができればよく、該連結部６３を設置する位置や形状は特に限定されるものではない。
【００３６】
係合部６４は、プランジャ３９のフランジ３９ａと係合するためのもので、前壁部６１及び後壁部６２の上部においてこれら前壁部６１及び後壁部６２を連結するように形成された第１係合部６９と、前壁部６１の後面から後方に向けて突出形成された第２係合部７０とから構成されている。また、これら第１係合部６９と第２係合部７０との間には、プランジャ３９のフランジ３９ａの一部が挿入可能な空間部７１が形成されている。図６（ｂ）に示すように、空間部７１は、プランジャ３９のフランジ３９ａが挿し込まれるように形成されており、プランジャ３９が進出する方向へ移動する場合には、プランジャ３９のフランジ３９ａの先端面と第１係合部６９とが当接し、プランジャ３９が退避する方向へ移動する場合には、プランジャ３９のフランジ３９ａの裏面と第２係合部７０とが当接するように形成されている。
【００３７】
開閉部材３３は、大入賞口３４を開閉するためのものである。この開閉部材３３は図７（ａ）に示す奥側の面が転動面７５となるように形成されている。また、開閉部材３３には、右側に延出するピン部材７６が形成されている。このピン部材７６は、従動部材４１を介して、ソレノイド３８の駆動により移動するプランジャ３９の動きに合わせて該開閉部材３３を開閉動作させるためのものである。このピン部材７６は、第１作動ピン６６及び第２作動ピン６７と係合することができる長さに形成されている。
【００３８】
また、開閉部材３３には、左右両側面に挿入孔３３ａ，３３ｂが開口形成されている。これら挿入孔３３ａ，３３ｂは、回動ピン４３ａ，４３ｂの一端部を挿入することができるように形成されており、開閉部材３３が開閉動作を行う場合には、この挿入孔３３ａ，３３ｂに挿入された回動ピン４３ａ，４３ｂが回動軸となって回動することができるように形成されている。
【００３９】
転動面７５は、開閉部材３３が開位置に位置する時に、遊技領域１６を流下する遊技球が転動して大入賞口３４に入賞しやすくするためのもので、この転動面７５上には案内路７７が形成されている。案内路７７は、転動面７５上を転動する遊技球を大入賞口３４や排出経路５２へ向けて案内するためのものである。なお、本実施の形態では、案内路７７は、該案内路７７の手前側から、該案内路７７の後側に位置する排出経路５２に向けての左右方向の幅が順次狭くなるように第１リブ７８及び第２リブ７９が形成されている。第１リブ７８は、転動面７５の左側において、転動面７５よりも高さ方向の位置が高くなるように形成されている。また、この第１リブ７８は、転動面７５の先端７５ａから基端７５ｂに向けて、転動面７５に対する高さが順次高くなるように形成されている。第２リブ７９は、転動面７５の右側において、該転動面７５よりも高さ方向の位置が高くなるように形成されている。また、第２リブ７９は、転動面７５の先端７５ａから基端７５ｂへ行くにつれて、順次左方向へ延出し、かつ転動面７５に対する高さが順次高くなるように形成されている。
【００４０】
図８は、上ケース部材３５を取り外した第２大入賞装置２２を平面視した図であり、（ａ）図は開閉部材３３が閉位置に位置している場合、（ｂ）図は開閉部材３３が開位置に位置している場合を示したものである。本実施の形態に係る遊技機１によれば、カバー部材において、大入賞口３４の中央よりも左側に排出口５１が開口形成され、この大入賞口３４から排出口５１に向けて形成された排出経路５２は左右方向の幅が排出口５１に向けて順次狭くなるように形成されている。したがって、カバー部材において、排出経路５２よりも右側にて隣接する配設スペース５５をより広く確保することができる。そのため、ソレノイド配設部５６及び従動部材配設部５７のスペースも広く確保することができ、プランジャ３９を左右方向に移動させる横置きにソレノイド３８を配設することができるため、駆動機構をコンパクトにすることができる。したがって、本実施の形態に係る遊技機１によれば、第２大入賞装置２２全体の大きさを小型化することができ、遊技機１の裏面側におけるスペース効率を飛躍的に向上させることが可能になる。
【００４１】
また、本実施の形態に係る第２大入賞装置２２は、遊技領域１６において該遊技領域１６の中央よりも右側に設けており、いわゆる右打ちの遊技を行う際に使用される。したがって、第２大入賞装置２２の大入賞口３４に入賞する遊技球２００は、多数の誘導釘２３に当たりながら、遊技領域１６を図９に示すＨ方向やＩ方向に示す方向で流下するものが多く存在する。すなわち、遊技領域１６を流下する遊技球２００は、第２大入賞装置２２に対して垂直方向に流下するのではなく、垂直方向よりも左下方向に向けて流下する。
【００４２】
本実施の形態に係る遊技機１によれば、図８に示すように、開閉部材３３に転動面７５を形成しておき、大入賞口３４を開く位置に開閉部材３３が位置している場合には、遊技球は転動面７５上を転動しながら大入賞口３４に入賞する。このとき、開閉部材３３の転動面７５上には案内路７７が形成されており、案内路７７には、第１リブ７８と第２リブ７９とが形成されている。ここで、第２リブ７９は、転動面７５の右側において、転動面７５の前側から後側へ行くにつれて順次左方向へ延出するように形成されているので、遊技領域１６を流下して転動面７５上に落下する遊技球の方向を滑らかに転動面７５上を転動する遊技球の向かうＳ方向やＴ方向へ変えることができる。したがって、転動面７５上を転動する遊技球が大入賞口３４に入賞する際に遊技球同士がぶつかり合って球詰まりを発生させることなく、スムーズに遊技球を大入賞口３４に入賞させることが可能になる。
【００４３】
また、本実施の形態に係る遊技機１によれば、第２大入賞装置２２において排出経路５２の中を転動する遊技球は、排出経路５２の左右両端に立設する第１壁部５３及び第２壁部５４によって案内されながら排出口５１へ移動する。このとき、大入賞口３４から排出口５１へ至る排出経路５２も左側に向けて順次左右方向の幅が狭くなるように形成されているので、遊技領域１６を流下して転動面７５上に落下し、該転動面７５上を転動しながら排出経路５２に至った遊技球が転動する方向を生かしながら排出口５１まで案内することができる。したがって、本実施の形態に係る第２大入賞装置２２によれば、大入賞口３４に入賞する際、又は排出経路５２中を移動する際等における遊技球同士の球詰まりを防止することができ、スムーズに遊技球を排出口５１へ案内し、排出することが可能になる。
【００４４】
次に、第２大入賞装置２２の動作を図７及び図１０に基づいて説明する。なお、図７には、説明の便宜上、上ケース部材３５を外した状態の第２大入賞装置２２を記載している。本実施の形態に係る遊技機１において、第２大入賞装置２２は、通常は開閉部材３３が大入賞口３４を閉じる位置に位置するようになっている（図７（ａ）、図１０（ａ））。遊技の進行に伴って、遊技機１における遊技の状態が遊技者にとって有利な大当り状態に移行すると、第２大入賞装置２２のソレノイド３８が駆動する。ソレノイド３８が駆動すると、プランジャ３９がコイルスプリングの付勢力に抗して、該プランジャ３９の軸部がソレノイド３８の貫通孔内に引き込まれる方向（図１０（ａ）中のＡ方向）へ移動する。
【００４５】
プランジャ３９がＡ方向に移動すると、従動部材４１の空間部７１に該プランジャ３９のフランジ３９ａが位置していることから、フランジ３９ａの左面と従動部材４１の第２係合部７０の右側の側面とが当接する。そして、このように当接した後、プランジャ３９がさらにＡ方向へ移動すると、従動部材４１は、プランジャ３９から与えられる力によって、第１突出部６５及び第２突出部６８を回動軸として、図１０（ａ）中のＢ方向へ回動する。従動部材４１がＢ方向に回動すると、該従動部材４１の前壁部６１に形成された第２作動ピン６７もＢ方向へ回動する。そして、第２作動ピン６７の上側の側面が開閉部材３３のピン部材７６の下側の側面に当接する。従動部材４１がさらに回動すると、第２作動ピン６７によってピン部材７６が上方向に押し上げられて行き、開閉部材３３が図１０（ａ）中のＣ方向へ回動ピン４３ａ，４３ｂを回動軸として回動する。このようにして開閉部材３３が回動すると、回動している途中で自重により回動ピン４３ａ，４３ｂの上側の側面が第１作動ピン６６の下側の側面とが当接し、プランジャ３９の移動及び従動部材４１の回動が停止するまで、第１作動ピン６６と回動ピン４３ａ，４３ｂとが当接した状態を維持しながら開閉部材３３が大入賞口３４を開く位置まで回動する。そして、図７（ｂ）、図１０（ｂ）に示す状態になる。
【００４６】
開閉部材３３が大入賞口３４を開く位置にある間は、開閉部材３３の回動ピン４３ａ，４３ｂと従動部材４１の第１作動ピン６６とが当接しており、この状態を維持することによって、例えば遊技球が開閉部材３３の転動面７５上に落下してきたり、又は転動面７５上を転動する際に該開閉部材３３が受ける衝撃力や重さを受けたとしても、図７（ｂ）、図１０（ｂ）に示す位置を維持しながら、遊技球を大入賞口３４へ案内することが可能になる。
【００４７】
次に、第２大入賞装置２２の大入賞口３４を閉じる場合について説明する。この場合は、ソレノイド３８の駆動が停止されてプランジャ３９がソレノイド３８の図示しない貫通孔から進出する方向（図１０（ｂ）中のＤ方向）へ移動する。プランジャ３９がＤ方向へ移動すると、従動部材４１の空間部７１に位置している該プランジャ３９のフランジ３９ａの右面（先端面）と従動部材４１の第１係合部６９の左側の側面とが当接する。そして、このように当接した後、プランジャ３９がさらにＤ方向へ移動すると、従動部材４１は、プランジャ３９の移動によって、第１突出部６５及び第２突出部６８を回動軸として、図１０（ｂ）中のＥ方向へ回動する。従動部材４１がＥ方向へ回動すると、該従動部材４１の前壁部６１に形成された第１作動ピン６６もＥ方向へ回動する。このとき、第１作動ピン６６と回動ピン４３ａ，４３ｂとは、開閉部材３３が開いた位置にある時は当接していることから、第１作動ピン６６がＥ方向へ回動を始めると、開閉部材３３は回動ピン４３ａ，４３ｂを回動軸としてＦ方向へ回動する。開閉部材３３は、Ｆ方向に回動していくと、第２作動ピン６７と回動ピン４３ａ，４３ｂとの当接が解除され、第１作動ピン６６の上側の側面と回動ピン４３ａ，４３ｂの下側の側面とが当接し、プランジャ３９の移動及び受動部材の回動が停止するまで、第２作動ピン６７と回動ピン４３ａ，４３ｂとが当接した状態を維持しながら開閉部材３３が大入賞口３４を閉じる位置まで回動する。そして、図７（ａ）、図１０（ａ）に示す状態になる。
【００４８】
このように、本実施の形態に係る遊技機１によれば、第２大入賞装置２２を上記した構成としたことにより、駆動機構のソレノイド３８をプランジャ３９が左右方向に移動する横置き配置した場合であっても、開閉部材３３の開閉動作を円滑に行うことが可能になる。また、本実施の形態に係る遊技機１によれば、第２大入賞装置２２が、大入賞口３４と、大入賞口３４の左奥側に形成された排出口５１と、大入賞口３４から排出口５１に向けて順次幅が狭くなるように形成され、大入賞口３４に入賞した遊技球を排出するための排出経路５２を有しているので、大入賞口３４に入賞した遊技球が排出口５１までの排出経路５２をよりスムーズに通過することができる。したがって、排出経路５２での遊技球の球詰まりの発生を防止して、排出経路５２での遊技球の流れの状態を良好に維持することが可能になる。また、本実施の形態に係る遊技機１によれば、排出経路５２を大入賞口３４から排出口５１に向けて下り傾斜させることにより、排出経路５２での遊技球の流れの状態をさらにより良好に維持することも可能になる。
【００４９】
また、本実施の形態に係る遊技機１によれば、第２大入賞装置２２が開閉部材３３を備え、この開閉部材３３が遊技球の転動が可能な転動面７５を有しており、この転動面７５上には排出経路５２に向けて遊技球を案内する案内路７７が形成されているので、遊技領域１６を流下して開閉部材３３の転動面７５に到達した遊技球をスムーズに大入賞口３４まで案内することができる。したがって、本実施の形態に係る遊技機１によれば、転動面７５上においても、遊技球の球詰まりの発生を防止して案内路７７から大入賞口３４までの遊技球の流れの状態をも良好に維持することが可能になる。さらに、本実施の形態に係る遊技機１によれば、排出経路５２に向けて案内路７７の幅が順次狭くなるような第１リブ７８、第２リブ７９が転動面７５上に形成されているので、遊技球の球詰まりの発生をさらにより防止することができ、また、案内路７７から大入賞口３４までの遊技球の流れの状態をさらにより良好に維持することも可能になる。
【００５０】
なお、本実施の形態に係る遊技機では、入賞口、排出口及び排出経路等を有する入賞装置の一例として第２大入賞装置に適用した例について説明したが、本発明はこれに限定されるものではない。例えば、上記した構成の入賞装置として、始動入賞装置に適用してもよいし、また大入賞装置及び始動入賞装置以外の他の入賞装置に適用してもよい。
【００５１】
以上、本発明に係る遊技機について詳細に説明したが、本発明はこれに限定されるものではなく、本発明の趣旨を逸脱しない範囲で適宜変更してもよいのは勿論である。
【符号の説明】
【００５２】
１  遊技機
１２  遊技盤
１６  遊技領域
１７  センター役物
２０  大入賞装置
２１  第１大入賞装置
２２  第２大入賞装置
３３  開閉部材
３４  大入賞口
３５  上ケース部材
３６  下ケース部材
３８  ソレノイド
３９  プランジャ
３９ａ  フランジ
４０  コイルバネ
４１  従動部材
４３ａ，４３ｂ  回動ピン
５１  排出口
５２  排出経路
５３  第１壁部
５４  第２壁部
５５  配設スペース
５６  ソレノイド配設部
５７  従動部材配設部
５８  開閉部材取付部
５９  回動ピン配設部
６１  前壁部
６２  後壁部
６３  連結部
６４  係合部
６６  第１作動ピン
６７  第２作動ピン
６９  第１係合部
７０  第２係合部
７１  空間部
７５  転動面
７６  ピン部材
７７  案内路
７８  第１リブ
７９  第２リブ
【図１】
0005947084.tif 000002
【図２】
0005947084.tif 000003
【図３】
0005947084.tif 000004
【図４】
0005947084.tif 000005
【図５】
0005947084.tif 000006
【図６】
0005947084.tif 000007
【図７】
0005947084.tif 000008
【図８】
0005947084.tif 000009
【図９】
0005947084.tif 000010
【図１０】
0005947084.tif 000011